(57)【要約】【課題】扉を加工して通信線を通過させるための空所を形成することが不要となり、扉を簡単且つ低コストで製造できる電気錠を提供することを課題とする。【解決手段】扉Ｄの片面側に配設される電動サムターン１と、扉Ｄの他面側に配設される利用者認証装置４と、利用者認証装置４及び電動サムターン１間の通信を行うための通信手段を備える。前記利用者認証装置４により利用者が認証された場合に電動サムターン１によって施開錠を切り替える又は施開錠の切り替えを可能とする電気錠である。電動サムターン１はデッドボルトＤＢを出没させるための出力軸７を備える。該出力軸７内に前記通信手段の通信信号を通過させるための通信用空所１８を形成する。該通信用空所１８を介して前記通信手段による利用者認証装置４及び電動サムターン１間の通信を行う。【選択図】図１
2009203633.tif 000002
【特許請求の範囲】
【請求項１】
扉の片面側に配設される電動サムターンと、扉の他面側に配設される利用者認証装置と、利用者認証装置及び電動サムターン間の通信を行うための通信手段を備え、前記利用者認証装置により利用者が認証された場合に電動サムターンによって施開錠を切り替える又は施開錠の切り替えを可能とする電気錠において、電動サムターンはデッドボルトを出没させるための出力軸を備え、該出力軸に前記通信手段の通信信号を通過させて利用者認証装置及び電動サムターン間の通信を行うための通信用空所を形成して成ることを特徴とする電気錠。
【請求項２】
上記通信手段を赤外線により通信を行う赤外線通信手段とすることを特徴とする請求項１に記載の電気錠。
【請求項３】
上記利用者認証装置はアクティブＩＣタグから送信された識別データに基づいて利用者を認証するアクティブタグ式認証装置であり、該利用者認証装置に電動サムターンによる施開錠の切り替えを行うための操作部を設け、該利用者認証装置により特定の利用者を認証した場合にのみ前記操作部による施開錠の切り替えを可能とすることを特徴とする請求項１又は請求項２に記載の電気錠。
【発明の詳細な説明】
【技術分野】
【０００１】
本発明は電動サムターンによりデッドボルトを出没させる電気錠に関する。
【背景技術】
【０００２】
従来より、電動サムターンを備えた電気錠が知られている（例えば特許文献１）。電動サムターンはモータを備え、モータの駆動力により扉の端面から出没自在に設けたデッドボルトを出没させて、扉の施開錠を行う。また、この種の電気錠は、扉の電動サムターンと反対側の面に設けたキーシリンダを操作することで、室外側又は屋外側から施開錠を行えるようになっている。
【０００３】
また、電気錠には上記キーシリンダに代えて指紋認証装置のような利用者認証装置を設け、該利用者認証装置により特定の利用者を認証した場合に、電動サムターンによって施開錠を切り替える又は電動サムターンによる施開錠の切り替えを可能とし、これにより扉の室外側又は屋外側からは利用者認証装置により認証された特定の利用者のみが扉の施開錠を行えるようしたものがある。
【特許文献１】実開平１−３９０２７号公報
【発明の開示】
【発明が解決しようとする課題】
【０００４】
ところで上記利用者認証装置を利用した電気錠は、例えば利用者認証装置と電動サムターンを通信線で接続して利用者認証装置及び電動サムターン間の通信を行うが、この場合、扉を加工して前記通信線を通過させるための空所を形成する等し、この空所を利用して配線処理を行う必要がある。
【０００５】
本発明は上記従来の問題点に鑑みて発明したものであって、扉を加工して通信線を通過させるための空所を形成することなく容易に通信手段による通信を実現できる電気錠を提供することを課題とする。
【課題を解決するための手段】
【０００６】
上記課題を解決するために本発明の請求項１に係る電気錠は以下の構成を有する。扉Ｄの片面側に配設される電動サムターン１と、扉Ｄの他面側に配設される利用者認証装置４と、利用者認証装置４及び電動サムターン１間の通信を行うための通信手段を備える。前記利用者認証装置４により利用者が認証された場合に電動サムターン１によって施開錠を切り替える又は施開錠の切り替えを可能とする電気錠である。電動サムターン１はデッドボルトＤＢを出没させるための出力軸７を備える。該出力軸７に前記通信手段の通信信号を通過させて利用者認証装置４及び電動サムターン１間の通信を行うための通信用空所１８を形成する。
【０００７】
また、本発明の請求項２に係る電気錠は請求項１において以下の構成を有する。上記通信手段を赤外線１６により通信を行う赤外線通信手段とする。
【０００８】
また、本発明の請求項３に係る電気錠は請求項１又は請求項２において以下の構成を有する。上記利用者認証装置４はアクティブＩＣタグから送信された識別データに基づいて利用者を認証するアクティブタグ式認証装置である。該利用者認証装置４に電動サムターン１による施開錠の切り替えを行うための操作部を設ける。該利用者認証装置４により特定の利用者を認証した場合にのみ前記操作部による施開錠の切り替えを可能とする。
【発明の効果】
【０００９】
請求項１に係る発明は、出力軸内に通信手段の通信信号を通過させるための通信用空所を形成することで、出力軸に形成した通信用空所を介して通信手段による利用者認証装置及び電動サムターン間の通信を行うことができ、扉を加工して通信線を通過させるための空所を形成することなく、容易に通信手段による通信を実現できる。
【００１０】
また請求項２に係る発明では、請求項１に係る発明の効果に加えて、通信手段を赤外線により通信を行う赤外線通信手段とすることで、煩雑な配線処理が不要となる。また、通信線が切断されて電動サムターン及び利用者認証装置間の通信が途絶えるといった事態が生じることがなく、耐久性を向上できる。
【００１１】
また請求項３に係る発明では、請求項１又は請求項２に係る発明の効果に加えて、利用者認証装置にて特定の利用者を認証し且つ操作部が操作された際に施開錠の切り替えを行うようにすることで、アクティブＩＣタグを所有する利用者が施開錠の切り替えの意思がある場合にのみ施開錠の切り替えを行うことができ、防犯性を高めることができる。
【発明を実施するための最良の形態】
【００１２】
以下、本発明の第１の実施形態について添付図面に基づいて説明する。図１乃至図３に示す本実施形態の電気錠は、扉Ｄに埋設される錠前３と、錠前３に取付け固定される電動サムターン１及び利用者認証装置４を備えている。錠前３にはデッドボルトＤＢが扉Ｄの端面から出没自在となるように収容してあり、電動サムターン１が備えているモータ２によってデッドボルトＤＢを出没させることで扉Ｄの施錠及び開錠が行われる。
【００１３】
電動サムターン１は、扉Ｄの屋内側や室内側の面となる片面に沿って配設されるサムターンケーシング１０内に、正逆回転自在なモータ２と、動力伝達機構８と、モータ２の駆動を制御する制御部としての回路板５を収容して構成される。図示は省略するが、動力伝達機構８はモータ２の回転軸の回転を減速して電動サムターン１の出力部となる出力軸７に伝達する複数の歯車を備えている。
【００１４】
錠前３に取付けられるサムターンケーシング１０は、扉Ｄ側に位置するケーシング本体１１と、扉Ｄと反対側に位置する手動操作用のハンドル１５と、からなる。ケーシング本体１１はハンドル１５側に開口する有底円筒状をしており、ハンドル１５はケーシング本体１１側に開口する有底円筒状をしている。
【００１５】
ハンドル１５の軸方向の一端部はケーシング本体１１内に回動自在に嵌合し、ケーシング本体１１の開口はハンドル１５によって閉塞されている。
【００１６】
ケーシング本体１１の底部１１ａの中央部には出力軸７が挿通される開口１３を形成してあり、出力軸７は開口１３を介してケーシング本体１１の底部１１ａから突出している。ケーシング本体１１から突出した出力軸７の先部は錠前３に貫通形成した軸嵌合孔６に嵌合して接続してある。
【００１７】
また、回路板５はケーシング本体１１の底部１１ａの内面に沿って配設され、前述のケーシング本体１１から扉Ｄ側向けて突出する出力軸７は回路板５を貫通している。
【００１８】
上記錠前３の軸嵌合孔６は錠前３の動力入力部となり、電動サムターン１の出力軸７を回動すれば出力軸７の回転力が軸嵌合孔６を介して錠前３に伝達される。
【００１９】
即ち、扉Ｄの施錠を行う場合は、モータ２を駆動し、モータ２の回転軸（図示せず）を回転して前記軸嵌合孔６に嵌合した出力軸７を所定角度（具体的には９０度）回動する。これにより出力軸７の回転力は錠前３に伝えられ、錠前３のデッドボルトＤＢが扉Ｄの端面から突出する。
【００２０】
逆に扉Ｄの開錠を行う場合は、モータ２を駆動し、モータ２の回転軸を上記施錠時と逆方向に回転する。これにより出力軸７は施錠時と逆方向に施錠時と同角度（具体的には９０度）回動し、この出力軸７の回転力が錠前３に伝えられ、錠前３のデッドボルトＤＢが扉Ｄ内に没する。
【００２１】
また、図示は省略するが、ハンドル１５は出力軸７に連結される動力伝達機構８の伝達部材９に連結してある。これによりハンドル１５をケーシング本体１１に対して軸回りに回動操作することで伝達部材９と共に出力軸７を回動し、手動により施錠及び開錠が行われる。
【００２２】
なお、電動サムターン１及び利用者認証装置４は扉Ｄに取り付けても良いものとする。
【００２３】
一方、利用者認証装置４は識別情報として指紋を読み取って認証を行う指紋認証装置や、利用者が保有するＩＣチップに登録した識別情報を非接触で読み取って認証を行う非接触ＩＣチップ認証装置等からなり、利用者の識別情報を読み取り、読み取られた識別情報が予め登録された特定の利用者の識別情報である場合にのみ当該利用者が特定の利用者であると判定し、利用者の認証を行う。
【００２４】
上記利用者認証装置４は、扉Ｄの電動サムターン１が配設される面と反対側の面、即ち、屋外側や室外側の面に沿って配設される認証装置ケース１２内に認証装置本体１４を収納して構成される。
【００２５】
認証装置ケース１２は錠前３に取付けられるものであって、扉Ｄの反対側の面にある電動サムターン１に対応する箇所に位置する。
【００２６】
認証装置ケース１２の扉Ｄ側の端部は錠前３の認証装置ケース１２側の面に形成した凹所１９に嵌め込んである。凹所１９の底面からは前記軸嵌合孔６が開口している。軸嵌合孔６から利用者認証装置４側に突出した出力軸７の先端部は認証装置ケース１２の扉Ｄ側の端部を貫通し、その最先端部は認証装置ケース１２内に至っている。
【００２７】
また、電気錠は利用者認証装置４及び電動サムターン１間の通信を行うための通信手段を備えている。
【００２８】
本実施形態の通信手段は有線の通信手段であって、利用者認証装置４の認証装置本体１４と電動サムターン１の回路板５とを通信線１７にて電気的に接続することで構成してある。
【００２９】
ここで、前記電動サムターン１の出力軸７には通信手段を構成する通信線１７を通過させるための通信用空所１８が形成されている。通信用空所１８は中空の出力軸７の基端部に出力軸７の外周面から出力軸７内の空所に至る連通孔１８ｂを形成することで形成される。
【００３０】
即ち、通信用空所１８は、出力軸７の先端面から出力軸７の軸方向に伸びて出力軸７の基端部に至る主孔部１８ａと、主孔部１８ａの出力軸７基端側の端部から出力軸７の外側に向かって形成した連通孔１８ｂからなる。
【００３１】
主孔部１８ａは出力軸７の先端面から開口して認証装置ケース１２内に連通している。また、連通孔１８ｂの出力軸７外側の端部は出力軸７の外周面の周方向の一部から開口し、サムターンケーシング１０内に連通している。
【００３２】
そして認証装置本体１４に接続された通信線１７は、認証装置ケース１２内の空所、通信用空所１８の主孔部１８ａ及び連通孔１８ｂ、サムターンケーシング１０内における回路板５の扉Ｄと反対側の空間を順に通過して回路板５に接続してあり、既述の通信用空所１８を介して利用者認証装置４及び電動サムターン１間の通信を行えるようになっている。即ち、通信用空所１８は前記通信手段を構成する通信線１７の通信信号を通過させるための空所となる。
【００３３】
上記利用者認証装置４により利用者が認証された際には、認証装置本体１４は通信手段により電動サムターン１に通信信号を送信して電動サムターン１に施開錠の切り替えを命令し、これを受けて電動サムターン１の回路板５は電動サムターン１のモータ２を駆動して施開錠の切り替えを行う。なお、この施開錠の切り替えは、利用者が認証される度に施錠と開錠を交互に行ったり、利用者が認証された際に開錠のみを行い、施錠は自動で行うようにする等、利用状況に応じて適宜設計変更可能である。
【００３４】
以上説明した本実施形態の電気錠は、出力軸７内に通信手段の通信信号を通過させるための通信用空所１８を形成したので、通信線１７を出力軸７内に形成した通信用空所１８に通して簡単に配線処理を行うことができ、しかもこの場合、扉Ｄを加工して通信線１７を通過させるための空所を形成することが不要となり、扉Ｄを容易に形成できる。
【００３５】
なお、前記利用者認証装置４の認証装置ケース１２はキーシリンダのケースを兼用するものであり、認証装置本体１４に替えてキーシリンダ本体を認証装置ケース１２に取り付けるだけで容易に扉Ｄにキーシリンダを設けることができる。
【００３６】
次に第２の実施形態について説明する。なお、以下の説明では上記第１の実施形態と同一の構成については同一の番号を付与し、重複する説明は省略する。
【００３７】
図４に示す本実施形態の電気錠は、上記通信手段を赤外線１６により通信を行う赤外線通信手段としている。該赤外線通信手段は、利用者認証装置４の認証装置本体１４に設けた送信部２０と、電動サムターン１の回路板５に設けた受信部２１とで構成してあり、送信部２０から通信用空所１８に向けて送信された赤外線１６は、認証装置ケース１２内の空所、通信用空所１８の主孔部１８ａ及び連通孔１８ｂ、サムターンケーシング１０内における回路板５の扉Ｄと反対側の空間を順に通過して受信部２１にて受信されるようになっており、既述の通信用空所１８を介して利用者認証装置４及び電動サムターン１間の通信を行えるようになっている。即ち、通信用空所１８は前記通信手段の通信信号である赤外線１６を通過させるための空所となっている。
【００３８】
このように本実施形態では通信手段を赤外線１６により通信を行う赤外線通信手段とすることで、煩雑な配線処理が不要となり、また、通信線が切断されて電動サムターン１及び利用者認証装置４間の通信が途絶えるといった事態が生じることがなく、耐久性を向上できる。
【００３９】
なお、本実施形態では通信手段を赤外線通信手段としたが、通信手段をその他の無線通信手段により構成しても良いものとする。
【００４０】
次に第３の実施形態について説明する。なお、以下の説明では上記第２の実施形態と同一の構成については同一の番号を付与し、重複する説明は省略する。
【００４１】
図５に示す本実施形態の電気錠は、利用者認証装置４の認証装置本体１４を利用者が保有するアクティブＩＣタグから送信された識別データを非接触で読み取って利用者の認証を行うものとしたアクティブタグ式認証装置である。また、認証装置本体１４には、電動サムターン１による施開錠の切り替えを室外側又は屋外側から行うための操作部として押し釦スイッチ２２を設けている。
【００４２】
そして利用者認証装置４は特定の利用者を認証した場合にのみ前記押し釦スイッチ２２による施開錠の切り替えを行えるように設定してあり、利用者認証装置４にて特定の利用者を認証し且つ押し釦スイッチ２２が操作された際に、電動サムターン１に信号を送信して電動サムターン１による施開錠の切り替えを行うようにしている。つまり利用者認証装置により利用者が認証された場合にのみ電動サムターン１による施開錠の切り替えを可能としている。
【００４３】
なお、この施開錠の切り替えは、押し釦スイッチ２２が操作される度に施錠と開錠を交互に行ったり、押し釦スイッチ２２が操作された際に開錠のみを行い、施錠は自動で行うようにする等、利用状況に応じて適宜設計変更可能である。
【００４４】
このように本実施形態では利用者認証装置４にて特定の利用者を認証し且つ押し釦スイッチ２２が操作された際に施開錠の切り替えを行うようにすることで、アクティブＩＣタグを所有する利用者が施開錠の切り替えの意思がある場合にのみ施開錠の切り替えを行うことができ、防犯性を高めることができる。
【００４５】
なお、本実施形態では通信手段を赤外線通信手段としたが、第１の実施形態と同様に有線の通信手段としても良い。
【図面の簡単な説明】
【００４６】
【図１】本発明の第１の実施形態の電気錠を示す概略側断面である。
【図２】同上の電気錠を説明する斜視図である。
【図３】同上の電動サムターンの図示を省略した電気錠を説明する斜視図である。
【図４】第２の実施形態の電気錠を示す概略側断面である。
【図５】第３の実施形態の電気錠を示す概略側断面である。
【符号の説明】
【００４７】
Ｄ  扉
ＤＢ  デッドボルト
１  電動サムターン
４  利用者認証装置
７  出力軸
１８  通信用空所
【図１】
2009203633.tif 000003
【図２】
2009203633.tif 000004
【図３】
2009203633.tif 000005
【図４】
2009203633.tif 000006
【図５】
2009203633.tif 000007
【手続補正書】
【提出日】平成20年6月23日(2008.6.23)
【手続補正１】
【補正対象書類名】明細書
【補正対象項目名】０００３
【補正方法】変更
【補正の内容】
【０００３】
また、電気錠には上記キーシリンダに代えて指紋認証装置のような利用者認証装置を設け、該利用者認証装置により特定の利用者を認証した場合に、電動サムターンによって施開錠を切り替える又は電動サムターンによる施開錠の切り替えを可能とし、これにより扉の室外側又は屋外側からは利用者認証装置により認証された特定の利用者のみが扉の施開錠を行えるようしたものがある。
【特許文献１】実公平６−３９０２７号公報